(57)【要約】【課題】従来の保護下着よりも一般により軽くより快適で、比較的低コストで大量に製造できる保護下着を提供する。【解決手段】液体不浸透性材料で形成された一体型形成の下着本体、および一体型形成の下着本体に結合された吸収パッドを含む保護下着。【選択図】図１Ａ
2008240237.tif 000002
【特許請求の範囲】
【請求項１】
第１の部分と第２の部分とを備えた内部表面を有する液体不浸透性材料でなる一体型形成の下着本体と、
前記内部表面の前記第１の部分に結合された繊維とを含み、前記内部表面の前記第２の部分には吸収具が取り付けられている保護下着。
【請求項２】
前記第１の部分は、汗が通過することができるように複数の穴を備えて形成されている、請求項１に記載の保護下着。
【請求項３】
前記第２の部分は、体液の通過を阻止するために実質的に穴があいていない、請求項２に記載の保護下着。
【請求項４】
前記一体型形成の下着本体が外部表面を有し、更に、前記一体型形成の下着本体の前記外部表面に取り付けられた繊維を含む、請求項１に記載の保護下着。
【請求項５】
前記液体不浸透性材料はゴムである、請求項１に記載の保護下着。
【請求項６】
前記繊維が綿である、請求項１に記載の保護下着。
【請求項７】
前記第２の部分が前記吸収具を越えて延びている、請求項１に記載の保護下着。
【請求項８】
前記保護下着がパンティーである、請求項１に記載の保護下着。
【請求項９】
前記保護下着がブラジャーである、請求項１に記載の保護下着。
【請求項１０】
保護下着を製造する方法であって、第１の部分と第２の部分とを備えた内部表面を有する液体不浸透性材料でなる下着本体を形成する段階を含み、前記下着本体の前記内部表面の前記第１の部分に繊維を取り付け、前記下着本体の前記内部表面の前記第２の部分に吸収具を取り付ける方法。
【請求項１１】
保護下着を製造する方法であって、第１の部分と第２の部分とを備えた内部表面を有する液体不浸透性材料でなる下着本体を形成する段階を含み、前記第１の部分は汗が通過できるように複数の穴付きで形成され、前記第２の部分は体液の通過を防止するため実質的に穴があいていない、請求項１０に記載の方法。
【請求項１２】
前記吸収具を前記第２の部分に結合する段階が、前記液体不浸透性材料が乾燥しつつある間に前記吸収具を接触させることを含む、請求項１０に記載の方法。
【請求項１３】
前記繊維は綿である、請求項１０に記載の方法。
【請求項１４】
前記繊維を付着する段階が、前記第１の部分に接着剤をスプレーし、且つ前記第１の部分に繊維をスプレーすることを含む、請求項１０に記載の方法。
【請求項１５】
前記下着本体の外部表面に繊維を取り付けることを含む、請求項１０又は請求項１１に記載の方法。
【請求項１６】
第１の部分と第２の部分とを備えた内部表面を有する液体不浸透性材料でなる一体型形成の下着本体を含み、前記第１の部分は汗が通過できる複数の穴を備えて形成されており、前記一体型形成の下着本体の内部表面の第１の部分には繊維が取り付けられている、保護下着。
【請求項１７】
前記一体型形成の下着本体の内部表面の第２の部分には吸収具が取り付けられている、請求項１６に記載の保護下着。
【請求項１８】
前記一体型形成の下着本体は外部表面を有し、この外部表面には繊維が取り付けられている、請求項１６に記載の保護下着。
【請求項１９】
前記液体不浸透性材料がゴムである、請求項１６に記載の保護下着。
【請求項２０】
前記繊維は綿である、請求項１６に記載の保護下着。
【請求項２１】
前記第２の部分が前記吸収具を越えて延びている、請求項１７に記載の保護下着。
【請求項２２】
前記保護下着はパンティーである、請求項１６に記載の保護下着。
【請求項２３】
前記保護下着はブラジャーである、請求項１６に記載の保護下着。
【請求項２４】
前記保護下着が裂け目領域を含む、請求項１又は請求項１６に記載の保護下着。
【発明の詳細な説明】
【技術分野】
【０００１】
本発明は、保護下着一般ならびにその製造方法に関する。
【背景技術】
【０００２】
様々なタイプの保護下着が、特許文献中で知られている。以下の特許および特許出願、ならびにそれらの中で引用されている引例、すなわち米国特許第５０９８４１９号、ＰＣＴ公告特許出願ＷＯ９６／３６２４８号、および欧州特許第３２７８２３号が現況技術を代表すると考えられる。
【特許文献１】米国特許第５０９８４１９号
【特許文献２】ＰＣＴ公告特許出願ＷＯ９６／３６２４８号
【特許文献３】欧州特許第３２７８２３号
【発明の開示】
【発明が解決しようとする課題】
【０００３】
本発明は、従来の保護下着よりも一般により軽くより快適で、比較的低コストで大量に製造できる保護下着の提供を追求するものである。
【課題を解決するための手段】
【０００４】
したがって、本発明の好ましい一実施形態によれば、液体不浸透性材料で形成された一体型形成の下着本体と、一体型形成の下着本体に結合された吸収パッドとを含む保護下着が提供される。
【０００５】
保護下着は、汗が通過できるように複数の穴付きで形成された第１の部分と、体液の通過を防止するために実質的に穴があいていない第２の部分とを含むことが好ましい。
【０００６】
本発明の好ましい一実施形態によれば、吸収パッドは、第２の部分で下着本体と結合される。
【０００７】
第２の部分は吸収パッドを越えて延びることが好ましい。
【０００８】
さらに、本発明の好ましい一実施形態によれば、液体不浸透性材料で形成された一体型形成の下着本体を備える保護下着が提供され、下着本体は、汗が通過できるように複数の穴付きで形成された第１の部分と、体液の通過を防止するために実質的に穴があいていない第２の部分とを含む。
【０００９】
液体不浸透性材料はラテックスであることが好ましい。
【００１０】
あるいは、液体不浸透性材料はシリコーン・ゴムであることが好ましい。
【００１１】
本発明の好ましい一実施形態によれば、下着本体は、厚さ約１０ミクロンである。
【００１２】
保護下着はまた、下着本体に固定された吸収パッドも備えることが好ましい。
【００１３】
保護下着は、ブラジャーやパンティーでも、または適切な下着なら他のどんなものでもよい。
【００１４】
保護下着には、下着本体の少なくとも片面に繊維を接着することができる。
【００１５】
本発明の一実施形態によれは、吸収パッドは、股から大腿部に沿って下方に延びる部分を含む。
【００１６】
さらに、本発明の好ましい一実施形態によれば、液体不浸透性材料で下着本体を形成するステップと、汗が通過できるように下着本体の第１の部分に複数の穴を形成するステップとを含む、保護下着の製造方法が提供される。
【００１７】
好ましくは、吸収パッドを下着本体の第２の部分に結合するステップ。
【００１８】
本発明の好ましい一実施形態によれば、液体不浸透性材料で下着本体を形成するステップと、吸収パッドを下着本体に固定して結合するステップとを含む、保護下着の製造方法も提供される。
【００１９】
好ましくは、下着本体をパッドの一部を覆って形成することを含む結合ステップ。
【００２０】
この方法はまた、下着本体を吸収パッドを覆って形成し、それによりパッドを下着本体に固定するステップも含むことが好ましい。
【００２１】
さらに、本発明の好ましい一実施形態によれば、この方法は、下着本体の少なくとも片面に綿繊維を接着するステップを含む。
【実施例】
【００２２】
本発明は、図面と共に後続の詳細な説明を読めば、より完全に理解し認識することができるであろう。
【００２３】
ここで、図１Ａ、１Ｂ、１Ｃ、１Ｄ、１Ｅ、１Ｆ、１Ｇ、１Ｈ、１Ｉを参照する。これらの図は、本発明の好ましい一実施形態による保護下着の製造方法を簡略に示したものである。以下、図１Ａ〜１Ｉを参照しながら特にパンティーに関して本発明を説明するが、本発明は、適した下着なら他のどんなものにも等しく適用されることを理解されたい。
【００２４】
図１Ａを見るとわかるように、３次元下着フォーム１０が提供されるが、この上に、針などの突起１４の配列１２が、形成しようとするパンティーの一般形状に形成される。パンティーのクロッチ域１６は突起１４で形成しないことが好ましい。フォーム１０の残りの部分は、ＴＥＦＬＯＮ（商品名）などの非付着性物質で被覆することが好ましい。
【００２５】
図１Ｂに示すように、下着フォーム１０は、ラテックスやシリコーンなどの液体１７に浸すことが好ましく、これは、乾燥させると配列１２およびクロッチ域１６の上に伸縮性のある軽量下着１８を形成する。突起１４を設けることにより、クロッチ域１６以外の部分で軽量下着１８に穴があくことを理解されたい。したがって軽量下着１８は、液体不浸透性のクロッチ域１６以外の部分では「通気性」を有する。
【００２６】
本発明の好ましい一実施形態によれば、図１Ｃに示すように、吸収パッド２０がクロッチ域１６で軽量下着１８に結合される。これは、接着剤を使用して結合することもできるが、液体を吸収パッド２０と結合させてフォーム１０上で乾燥させることにより、軽量下着１８の残りの部分に付着させることが好ましい。
【００２７】
フォーム１０上の下着の外部表面は、最終的には裏返されて内部表面を形成することになるが、フォーム１０から軽量下着１８を取り去る前に図１Ｄに示すように接着剤２２をスプレーし、その後図１Ｅに示すように綿繊維２４またはその他の適した材料をスプレーすることが好ましく、それにより、快適でくっつかない肌接触面が形成される。パッド２０は、図１Ｄおよび１Ｅのステップ中はカバー２６で覆うことが好ましく、このカバーは、パッドから綿繊維に液体が流動するのを防止するためにパッドをいくぶん越えて延びている。
【００２８】
次いで、図１Ｆに見るとわかるように、得られた下着３０をフォーム１０から取り去り、裏返すことができる。下着３０の外側の表面は、綿繊維またはその他の適した材料で被覆するかまたは他の方法で覆い、適切な方式で仕上げることができる。
【００２９】
図１Ｇに見られるような完成した下着４０は、非常に軽量かつ低コストかつ伸縮可能なパンティーであることが好ましく、クロッチ域以外の部分は一般に穴が空いており、クロッチ域で内部吸収パッドと一体に形成されていることが好ましい。この下着は、ラテックスやシリコンなどの弾性材料で形成され、１０ミクロン未満の厚さであることが好ましい。本発明の好ましい一実施形態によれば、図１Ｈに見られるように、裂け目領域４２を下着の側部などに組み込むことができる。これは、領域４２で裂くことによって下着を脱ぎやすくする。図１Ｉに示すように、裂いた着古しの下着は、脱いだ後に捨てることができる。
【００３０】
図２からわかるように、この下着は、パンティー５０やブラジャー６０でも、または適した下着なら他のどんなものでもよい。パンティー５０のパッド６２には、着用者の脚に沿って下方に延びる部分があってもよいことに留意されたい。
【００３１】
本発明が以上に具体的に図示および記述したものに限定されないことを、当業者は理解されたい。むしろ本発明の範囲は、前述の記述を読めば当業者に思いつくであろう、従来技術にはない、明細書で述べ図面に示した様々な特徴の変形および修正を含む。
【図面の簡単な説明】
【００３２】
【図１Ａ】本発明の好ましい一実施形態による保護下着の製造方法を示す図である。
【図１Ｂ】本発明の好ましい一実施形態による保護下着の製造方法を示す図である。
【図１Ｃ】本発明の好ましい一実施形態による保護下着の製造方法を示す図である。
【図１Ｄ】本発明の好ましい一実施形態による保護下着の製造方法を示す図である。
【図１Ｅ】本発明の好ましい一実施形態による保護下着の製造方法を示す図である。
【図１Ｆ】本発明の好ましい一実施形態による保護下着の製造方法を示す図である。
【図１Ｇ】本発明の好ましい一実施形態による保護下着の製造方法を示す図である。
【図１Ｈ】本発明の好ましい一実施形態による保護下着の製造方法を示す図である。
【図１Ｉ】本発明の好ましい一実施形態による保護下着の製造方法を示す図である。
【図２】本発明の好ましい一実施形態により、一般に図１Ａ〜図１Ｆの方法によって製造される保護下着を簡略に示す図である。
【図１Ａ】
2008240237.tif 000003
【図１Ｂ】
2008240237.tif 000004
【図１Ｃ】
2008240237.tif 000005
【図１Ｄ】
2008240237.tif 000006
【図１Ｅ】
2008240237.tif 000007
【図１Ｆ】
2008240237.tif 000008
【図１Ｇ】
2008240237.tif 000009
【図１Ｈ】
2008240237.tif 000010
【図１Ｉ】
2008240237.tif 000011
【図２】
2008240237.tif 000012